(57)【要約】      （修正有）【課題】無採血の血糖測定補正方法および装置に関するものであって、皮膚から反射した白色光のイメージ映像から測定された血糖信号を補正する方法を提供する。【解決手段】白色光の光源を用いて白色光を皮膚に照射するステップＳ３００、皮膚から反射した白色光を第１波長フィルターおよび第２波長フィルターによってフィルタリングするステップＳ３１０、第１波長フィルターによってフィルタリングされた白色光によって生成したイメージ映像に基づいて、血糖信号と脈拍信号を含む第１信号を獲得するステップＳ３２０、第２波長フィルターによってフィルタリングされた白色光によって生成したイメージ映像に基づいて、脈拍信号を含む第２信号を獲得するステップＳ３３０、第１信号から第２信号を減算Ｓ３４０して血糖信号を獲得するステップ、および獲得された血糖信号に基づいて皮下血管における血糖量を計算するステップＳ３５０を含むことも可能である。【選択図】図３
2019034172.tif 000002
【特許請求の範囲】
【請求項１】
無採血の血糖測定補正方法であって、
測定対象の皮膚領域に光を照射するステップ；
皮膚から反射した光から、カメラのイメージセンサーを用いて、皮下血管を含む皮膚領域に対するピクセルイメージを獲得するステップであって、前記カメラは、血糖情報選択用の第１波長フィルターおよび脈拍情報選択用の第２波長フィルターを含み、前記ピクセルイメージを獲得するステップは、
前記反射した光を前記第１フィルターに通過させて第１ピクセルイメージを獲得するステップ；および
前記反射した光を前記第２フィルターに通過させて第２ピクセルイメージを獲得するステップを含む、前記ピクセルイメージを獲得するステップ；
獲得されたピクセルイメージから皮下血管に該当するピクセルを識別し、識別されたピクセルから皮膚上の特定の位置に対応する第１ピクセルを選択し、前記第１ピクセルイメージの前記第１ピクセルにおける時間によるピクセル情報の変化を示す第１信号を獲得し、前記第２ピクセルイメージの前記第１ピクセルにおける時間によるピクセル情報の変化を示す第２信号を獲得するステップであって、獲得された第１信号は、特定の皮下血管領域の血糖情報および脈拍情報を含み、獲得された第２信号は、前記特定の皮下血管領域の脈拍情報を含む、前記第１および第２信号を獲得するステップ；
前記第１信号から前記第２信号を除去して血糖信号を獲得するステップ；および
前記血糖信号から血糖量を計算するステップを含む、無採血の血糖測定補正方法。
【発明の詳細な説明】
【技術分野】
【０００１】
本発明は、皮下血管の血糖測定補正方法および装置に関するものであって、より具体的には、皮膚から反射した白色光に基づいた信号を減算して、血糖信号以外の信号を補正する方法および装置に関するものである。
【背景技術】
【０００２】
血糖は、一般的に、血液中に含有されているブドウ糖を意味する。人体は生命維持のためには一定の量の血糖を維持することが必須であり、過度に高い血糖は糖尿病を誘発する。血中の血糖量を測定することで一定の量の血糖が維持されているのかを把握することができ、正常範囲でない血糖量が測定された場合、適切な措置を通じて健康を維持することができる。
【０００３】
生体における血糖の測定方法は、大きく採血方法と無採血方法とに区分される。採血方法は、身体の一部、例えば、指を刺して採取した血液サンプルを化学処理して血中の血糖の濃度を測定する方法である。しかし、採血方法は、血糖を測定する都度、血液を得るために指を刺さなければならないという点において、患者に対して心理的な負担を与える可能性があり、採血する過程において予期せぬ感染を誘発する可能性があるという問題がある。
【０００４】
このような問題点に対応して、最近、採血することなく皮下血管の血糖を測定するための無採血の測定装置が求められている。しかし、イメージセンサーを用いた無採血の血糖測定方法および装置はこれまで紹介されていなかった。
【先行技術文献】
【特許文献】
【０００５】
【特許文献１】特許第３８６３０９５号明細書
【特許文献２】米国公開特許公報第２０１３／００６６１７２号明細書
【特許文献３】韓国公開特許公報第２０１０−０１１２５４４号明細書
【発明の概要】
【発明が解決しようとする課題】
【０００６】
本願による無採血の血糖測定補正方法および装置は、イメージセンサーを用いて得たイメージを複数のピクセルに具現し、これをピクセル単位で分析して、測定しようとする部分のピクセルから測定しようとする信号を抽出する方法を用いることができる。しかし、イメージセンサーを用いた無採血の血糖測定方法は、反射した光における血糖信号以外にともに検出されるノイズによって、正確な血糖量を計算することができないという短所がある。また、リアルタイムで血糖信号を測定するとき、血管でない箇所から検出される信号が血糖の正確な測定値に影響を与える可能性がある。特に、血糖信号は非常に精密な微細信号であることから、心臓拍動による血流量の変化と個々人の皮膚環境による皮膚環境信号は定量分析の妨害となる雑音になる可能性があるため、リアルタイムで測定される血糖の源泉的な血糖信号を抽出し難いという短所がある。
【０００７】
よって、本発明は、皮下血管の血糖量を測定するにあたり、血糖信号および脈拍信号を含む第１信号と脈拍信号を含む第２信号との間の差による補正方法を用いて、採血することなく脈拍信号を補正して正確な血糖量を測定し、かつ分析することができる方法および装置を提供することに目的がある。
【０００８】
また、血流量の変化、血管の太さ、および皮膚色のうち少なくとも一つ以上に係る信号を含む皮膚環境信号を補正する方法および装置を含み、より正確な血糖量を測定することができる。
【課題を解決するための手段】
【０００９】
本発明においては、採血しない血糖測定補正方法が提供される。本方法は、白色光の光源を用いて白色光を皮膚に照射するステップと、皮膚から反射した白色光を第１波長フィルターおよび第２波長フィルターによってフィルタリングするステップと、第１波長フィルターによってフィルタリングされた白色光によって生成したイメージ映像に基づいて、血糖信号と脈拍信号を含む第１信号を獲得するステップと、第２波長フィルターによってフィルタリングされた白色光によって生成したイメージ映像に基づいて、脈拍信号を含む第２信号を獲得するステップと、第１信号から第２信号を減算して血糖信号を獲得するステップと、獲得された血糖信号に基づいて皮下血管における血糖量を計算するステップとを含む。
【００１０】
一実施形態において、第１波長フィルターによってフィルタリングされた反射した白色光によって生成したイメージ映像は、皮膚の第１領域からの血糖信号、脈拍信号、および皮膚環境信号を含む第３信号と、皮膚の第２領域からの皮膚環境信号を含む第４信号とを含み、第１信号を獲得するステップは、第３信号から第４信号を減算して獲得することもできる。
【００１１】
一実施形態において、第２波長フィルターによってフィルタリングされた反射した白色光によって生成したイメージ映像は、皮膚の第１領域からの脈拍信号および皮膚環境信号を含む第５信号と、皮膚の第２領域からの皮膚環境信号を含む第６信号とを含み、第２信号を獲得するステップは、第５信号から第６信号を減算して獲得することもできる。
【００１２】
一実施形態において、皮膚の第１領域は皮下血管であり、皮膚の第２領域は皮下血管を除く皮膚であることも可能である。
【００１３】
一実施形態において、皮膚環境信号は、血流量の変化、血管の太さ、および皮膚色のうち一つ以上に係る信号を含むことも可能である。
【００１４】
本発明においては、採血しない血糖測定補正装置が提供される。この装置は、白色光の光源を用いて白色光を皮膚に照射する手段と、皮膚から反射した白色光を第１波長フィルターおよび第２波長フィルターによってフィルタリングする手段と、第１波長フィルターによってフィルタリングされた白色光によって生成したイメージ映像に基づいて、血糖信号と脈拍信号を含む第１信号を獲得する手段と、第２波長フィルターによってフィルタリングされた白色光によって生成したイメージ映像に基づいて、脈拍信号を含む第２信号を獲得する手段と、第１信号から第２信号を減算して血糖信号を獲得する手段と、獲得された血糖信号に基づいて皮下血管における血糖量を計算する手段とを含むことも可能である。
【００１５】
一実施形態において、第１波長フィルターによってフィルタリングされた反射した白色光によって生成したイメージ映像は、皮膚の第１領域からの血糖信号、脈拍信号、および皮膚環境信号を含む第３信号と、皮膚の第２領域からの皮膚環境信号を含む第４信号とを含み、第１信号を獲得するステップは、第３信号から第４信号を減算して獲得することもできる。
【００１６】
一実施形態において、第２波長フィルターによってフィルタリングされた反射した白色光によって生成したイメージ映像は、皮膚の第１領域からの脈拍信号および皮膚環境信号を含む第５信号と、皮膚の第２領域からの皮膚環境信号を含む第６信号とを含み、第２信号を獲得するステップは、第５信号から第６信号を減算して獲得することもできる。
【００１７】
一実施形態において、皮膚の第１領域は皮下血管であり、皮膚の第２領域は皮下血管を除く皮膚であることも可能である。
【００１８】
一実施形態において、皮膚環境信号は、血流量の変化、血管の太さ、および皮膚色のうち一つ以上に係る信号を含むことも可能である。
【発明の効果】
【００１９】
本発明によると、測定しようとする血糖信号以外に、血糖信号とともに測定される脈拍信号を補正することができるため、脈拍信号を除く正確な血糖信号を獲得することができる。皮膚から反射した白色光をフィルタリングした皮膚の映像を用いるため、採血することなく血糖量を測定することができ、血糖量を数回測定しても、患者に対する採血の負担を減らすことができ、採血過程において発生し得る衛生的な問題または感染への危険を避けることができる。
【００２０】
また、リアルタイムで源泉的な血糖信号を抽出することができるため、時間の流れによる血糖量の変化を確認することができるという長所がある。
【００２１】
本願発明によると、皮膚環境信号に対するノイズを補正することによって、個々人が有している皮膚環境信号に関係なく、源泉的な血糖信号を抽出することができるという長所がある。
【００２２】
併せて、本願発明による無採血の血糖補正装置は、カメラのイメージセンサーを通じたイメージ映像を分析して血糖信号を抽出するものであって、小さくて携帯することが簡便であるように装置を具現することができ、これによって、装置の製作過程にかかるコストを節減することができる。
【図面の簡単な説明】
【００２３】
【図１】図１は、本発明の一実施例による無採血の血糖測定補正システムを概略的に示す図である。
【図２】図２は、本発明による無採血の血糖補正システムのサーバーを示すブロック図である。
【図３】図３は、本発明の方法による脈拍信号を補正した血糖信号を獲得するための無採血の血糖測定補正方法を示す。
【図４】図４は、第１波長フィルターおよび第２波長フィルターがフィルタリングする波長のスペクトラムを示す。
【図５ａ】図５ａは、血糖信号および脈拍信号を含む第１信号を示す。
【図５ｂ】図５ｂは、脈拍信号を含む第２信号を示す。
【図５ｃ】図５ｃは、第１信号から第２信号を減算して獲得した血糖信号を示す。
【図６】図６は、本発明の方法による脈拍信号および皮膚環境信号を補正した血糖信号を獲得するための無採血の血糖測定補正方法を示す。
【図７】図７は、イメージセンサーを用いて複数のピクセルで獲得したイメージ映像をピクセル単位で分析する方法を示す。
【発明を実施するための形態】
【００２４】
以下、添付図面を参考にして、本発明の実施例について、本発明の属する技術分野における通常の知識を有する者が容易に実施することができる程度に詳しく説明する。本発明は、種々異なる形態で具現され得、ここで説明する実施例に限定されない。
【００２５】
図１は、本発明の一実施例による無採血の血糖測定補正システムを概略的に示す図である。
【００２６】
図１を参照すると、本発明の一実施例による無採血の血糖測定補正システムは、サーバー（１００）、皮膚から反射した白色光をフィルタリングしてイメージ映像を得る複数のカメラ（２００）、複数のカメラ（２００）とサーバー（１００）とを連結する通信網（３００）、ならびに、図示されてはいないが、白色光を照射する光源（４００）を含む。
【００２７】
詳しくは、本願発明によるカメラのイメージセンサーを用いた無採血の血糖測定方法は、カメラ（２００）のイメージセンサー（２１２および２２２）を通じて複数のピクセルで獲得した皮下血管を含むイメージ映像をピクセル単位で精密に分析して血管の位置を把握し、血管の太さと血流速度から血管の血流量を計算して、血糖の絶対値を測定する方法を用いることができる。しかし、このような方法の場合、血管でない箇所から検出される信号が血糖の正確な測定値に影響を与える可能性があり、血糖信号は非常に精密な微細信号であることから、心臓拍動による血流量の変化と個々人の皮膚環境による皮膚環境信号は定量分析の妨害となる雑音になるという問題点があった。
【００２８】
このような問題点を解決するために、本発明の一実施例による無採血の血糖測定補正方法を行うためのサーバー（１００）は、心臓拍動による血流量の変化を示す脈拍信号と、検出位置によって変わる可能性のある皮膚環境信号を補正して、源泉的な血糖信号をリアルタイムで獲得することができるとともに、小さくて携帯性の良い血糖測定装置を提供することを一特徴とする。サーバー（１００）の動作については、後述することとする。
【００２９】
また、複数のカメラ（２００）は、血糖情報カメラ（２１０）および脈拍情報カメラ（２２０）を含むことが可能であり、血糖情報カメラ（２１０）は、第１波長フィルター（２１１）およびイメージセンサー（２１２）を含み、脈拍情報カメラ（２２０）は、第２波長フィルター（２２１）およびイメージセンサー（２２２）を含む。説明の便宜のために、図１においては、複数のカメラ（２００）で表現したが、本願の無採血の血糖測定補正システムは、必ずしも複数のカメラが複数のフィルターと複数のイメージセンサーとを備える必要はなく、一つのカメラが複数のフィルターと複数のイメージセンサーとを含むことが可能であり、一つのカメラの一つのイメージセンサーが同一の領域を異なるイメージ映像で検出することも可能であり、あるいは、複数のカメラが一つのフィルターと複数のイメージセンサーとを含むことも可能である。
【００３０】
一方、皮膚から反射した白色光は、それぞれ血糖情報カメラ（２１０）および脈拍情報カメラ（２２０）のレンズを通過し、血糖情報カメラ（２１０）を通過した光は第１波長フィルター（２１１）を通過し、脈拍情報カメラ（２２０）を通過した光は第２波長フィルター（２２１）を通過する。血糖情報カメラ（２１０）のイメージセンサー（２１２）は、第１波長フィルター（２１１）を通過した光を、複数のピクセルで構成されるイメージ映像に具現し、脈拍情報カメラ（２２０）のイメージセンサー（２２２）は、第２波長フィルター（２２１）を通過した光を、複数のピクセルで構成されるイメージ映像に具現する。血糖情報カメラ（２１０）および脈拍情報カメラ（２２０）は、それぞれ第１波長フィルター（２１１）および第２波長フィルター（２２１）という特殊な光学フィルターを用いて、同一の皮膚領域に対してそれぞれ異なる情報を抽出することができる。
【００３１】
一方、通信網（３００）は、複数のカメラ（２００）とサーバー（１００）とを連結する役割を行う。すなわち、通信網（３００）は、複数のカメラ（２００）がサーバー（１００）に接続した後、イメージ映像を送受信できるように接続経路を提供する通信網を意味する。
【００３２】
一方、光源（４００）は、好ましくは最も広い波長範囲を有する白色光の光源であることが可能であり、白色光の光源に限定されない。光源（４００）は、皮膚に光を照射するための役割をし、光を照射する光源（４００）と、反射した光を受け入れ、イメージ映像を生成するカメラ（２００）は、それぞれ独立して動作する。
【００３３】
図２は、図１の無採血の血糖測定補正システムのサーバー（１００）を示すブロック図である。
【００３４】
図２を参照すると、本発明の一実施例による無採血の血糖測定補正システムのサーバー（１００）は、複数のカメラ（２００）から転送されたイメージ映像を第３信号ないし第６信号として生成する信号処理部（１０１）と、生成した第３信号および第５信号から、それぞれ皮膚環境信号に該当する第４信号および第６信号を減算する皮膚環境信号補正部（１０２）と、皮膚環境信号である第４信号が減算された第１信号から、皮膚環境信号である第６信号が減算された第２信号を減算する脈拍信号補正部（１０３）と、第１信号から第２信号を減算して獲得した血糖信号に基づいて血糖量を計算する血糖量計算部（１０４）とを含む。
【００３５】
詳しくは、サーバー（１００）の信号処理部（１０１）は、血糖情報カメラ（２１０）の第１波長フィルター（２１１）を通過したイメージ映像を分析する場合、血糖情報スペクトラムに該当する波長範囲がフィルタリングされ、イメージセンサーは、イメージ映像の血管部分のピクセルから、それぞれ、血糖信号、脈拍信号、および皮膚環境信号を含む第３信号と、血管を除く皮膚のピクセルからの皮膚環境信号を含む第４信号を生成することができる。脈拍情報カメラ（２２０）の第２波長フィルター（３０）を通過したイメージ映像を分析する場合、脈拍情報スペクトラムに該当する波長範囲がフィルタリングされ、イメージセンサーは、イメージ映像の血管部分のピクセルから、それぞれ、脈拍信号および皮膚環境信号を含む第５信号と、血管を除く皮膚のピクセルからの皮膚環境信号を含む第６信号を生成することができる。ここで、皮膚の血管部分は第１領域、皮膚の血管を除く部分は第２領域として指称され得る。
【００３６】
サーバー（１００）の皮膚環境信号補正部（１０２）は、血管からの血糖信号、脈拍信号、および皮膚環境信号を含む第３信号から、血管を除く皮膚からの皮膚環境信号を含む第４信号を減算して、皮膚環境信号が補正された第１信号を獲得することができる。サーバー（１００）の皮膚環境信号補正部（１０２）は、また、血管からの脈拍信号および皮膚環境信号を含む第５信号から、血管を除く皮膚からの皮膚環境信号を含む第６信号を減算して、皮膚環境信号が補正された第２信号を獲得することができる。
【００３７】
サーバー（１００）の脈拍信号補正部（１０３）は、血糖信号と脈拍信号を含む第１信号から、脈拍信号を含む第２信号を減算することができる。第１信号から第２信号を減算して、脈拍信号および皮膚環境信号が補正された血糖信号を獲得することができる。このことによって、カメラのイメージ映像から、脈拍信号および皮膚環境信号を補正して、心臓拍動による血流量の変化と個々人の皮膚環境に関係なく、正確な血糖信号を抽出することができる。
【００３８】
サーバー（１００）の血糖量計算部（１０４）は、脈拍信号補正部（１０３）が獲得した血糖信号に基づいて、血管の太さと血流速度を乗算して血流量を計算し、計算された血流量に基づいて正確な血糖数値を計算する役割を行う。
【００３９】
図３は、本発明の一実施例による無採血の血糖測定補正方法を示すフローチャートである。図面を参照して本発明の一実施例による無採血の血糖測定補正方法を説明すると、次のとおりである。
【００４０】
まず、光源（４００）を用いて、測定しようとするヒトの皮膚に白色光を照射する（ステップＳ３００）。白色光は、最も広い波長範囲を有し、血糖の測定に適するが、光源は、白色光に限定されない。
【００４１】
白色光を照射した皮膚から反射した白色光は、カメラ（２００）の第１波長フィルター（２１１）および第２波長フィルター（２２１）を通過してフィルタリングされる（ステップＳ３１０）。図４に示されているように、皮膚から反射した光を異なる特殊な光学フィルターにフィルタリングすると、特殊な光学フィルターがフィルタリングする波長範囲によって、同一の皮膚領域に対し、異なるスペクトラムの情報を得ることができる。よって、本願発明は、脈拍情報選択用の特殊な光学フィルターである第２波長フィルター（２２１）を用いて、脈拍情報スペクトラムに該当する波長範囲をフィルタリングし、血糖情報選択用の特殊な光学フィルターである第１波長フィルター（２１１）を用いて、血糖情報スペクトラムに該当する波長範囲をフィルタリングする。血糖情報カメラ（２１０）の第１波長フィルター（２１１）を通過した光は、血糖情報カメラ（２１０）のイメージセンサー（２１２）を通じて複数のピクセルで構成されたイメージ映像に具現される。脈拍情報カメラ（２２０）の第２波長フィルター（２２１）を通過した光は、脈拍情報カメラ（２２０）のイメージセンサー（２２２）を通じて複数のピクセルで構成されたイメージ映像に具現される。サーバー（１００）は、具現されたイメージ映像を通信網（３００）を通じて受信される。
【００４２】
サーバー（１００）の信号処理部（１０１）は、第３信号ないし第６信号を生成し、皮膚環境信号補正部（１０２）は、血糖信号と脈拍信号を含む第１信号を生成することができる（ステップＳ３２０）。図５ａを参照すると、第１波長フィルター（２１１）によってフィルタリングされた白色光によって生成したイメージ映像を通じて獲得した血糖信号および脈拍信号を含む第１信号（１）を示す。
【００４３】
サーバー（１００）の信号処理部（１０１）は、第３信号ないし第６信号を生成し、皮膚環境信号補正部（１０２）は、第５信号に基づいて、脈拍信号を含む第２信号を生成することができる（ステップＳ３３０）。図５ｂを参照すると、第２波長フィルター（２２１）によってフィルタリングされた白色光によって生成したイメージ映像を通じて獲得した脈拍信号を含む第２信号（２）を示す。
【００４４】
サーバー（１００）の脈拍信号補正部（１０３）は、獲得した第１信号から第２信号を減算する（ステップＳ３４０）。図５ｃを参照すると、血糖信号および脈拍信号がともに測定される第１信号（１）から、脈拍信号が測定される第２信号（２）を減算して血糖信号（３）を獲得した結果のグラフが示されている。獲得した血糖信号（３）は、脈拍信号を補正したものであって、心臓拍動による血流量の変化がともに検出されていないことが分かる。
【００４５】
サーバー（１００）の血糖量計算部（１０４）は、計算された血流量と、脈拍信号が補正された獲得した血糖信号（３）に基づいて正確な血糖の数値を計算する（ステップＳ３５０）。
【００４６】
図６は、本発明の他の実施例による無採血の血糖測定補正方法を示すフローチャートである。先立って説明したステップは、重複記載を避けるために説明しない。
【００４７】
第１信号を獲得するステップ（Ｓ３２０）は、サーバー（１００）の信号処理部（１０１）において、血糖信号、脈拍信号、および皮膚環境信号を含む第３信号と、皮膚環境信号を含む第４信号とを獲得するステップ（ステップＳ３２１）と、皮膚環境信号補正部（１０２）において、第３信号から第４信号を減算するステップ（Ｓ３２２）とを含む。これと関連して、図７は、サーバー（１００）の信号処理部（１０１）が、イメージセンサーの各ピクセルに入る情報をピクセル単位で分析して、血管に該当するピクセルと血管を除く皮膚に該当するピクセルとを分離して得た情報を示す。図７の下段のグラフから見られるように、血管のある箇所のピクセルから得た信号は、血管を除く皮膚のピクセルから得た信号と異なり、特に、血管を除く皮膚から獲得した信号は、皮膚環境信号に該当し得る。本願は、このようにして得た皮膚環境信号を、血管のある箇所のピクセルから得た信号から減算して、個々人の皮膚環境による誤差を補正することができる。
【００４８】
さらにステップＳ３２１に戻り、サーバー（１００）の信号処理部（１０１）は、第１波長フィルター（２１１）を通過した複数のピクセルで構成されたイメージ映像からピクセル単位で血管の位置を分析し、血管位置のピクセルから血糖信号、脈拍信号、および皮膚環境信号を含む第３信号を獲得することができる。また、サーバー（１００）の信号処理部（１０１）は、血管を除く皮膚位置のピクセルから皮膚環境信号を含む第４信号を獲得することができる。サーバー（１００）の皮膚環境信号補正部（１０２）は、第３信号から第４信号を減算して、皮膚環境信号が補正された第１信号を獲得することができる。
【００４９】
第２信号を獲得するステップ（Ｓ３３０）は、サーバー（１００）の信号処理部（１０１）において、脈拍信号および皮膚環境信号を含む第５信号と、皮膚環境信号を含む第６信号とを獲得するステップ（ステップＳ３３１）と、皮膚環境信号補正部（１０２）において、第５信号から第６信号を減算して第２信号を獲得するステップ（Ｓ３３２）とを含む。より詳しくは、サーバー（１００）の信号処理部（１０１）は、イメージセンサーの各ピクセルに入る情報をピクセル毎に分析することができるため、血管に該当するピクセルと血管を除く皮膚に該当するピクセルとに分離して情報を得ることができる。従って、サーバー（１００）の信号処理部（１０１）は、第２波長フィルター（２２１）を通過した複数のピクセルで構成されたイメージ映像からピクセル単位で血管の位置を分析し、血管位置のピクセルから脈拍信号および皮膚環境信号を含む第５信号を獲得することができる。また、サーバー（１００）の信号処理部（１０１）は、血管を除く皮膚位置のピクセルから皮膚環境信号を含む第６信号を獲得することができる。サーバー（１００）の皮膚環境信号補正部（１０２）は、第５信号から第６信号を減算して、皮膚環境信号が補正された第２信号を獲得することができる。
【００５０】
サーバー（１００）の脈拍信号補正部（１０３）は、皮膚環境信号が補正された第１信号から第２信号を減算し（Ｓ３４０）、皮膚環境信号と脈拍信号が補正された血糖信号を獲得することができる（Ｓ３５０）。
【００５１】
本発明は、血糖を測定しようとするヒトの皮膚に白色光を照射し、皮膚から反射した光を特定の波長のフィルターでフィルタリングし、フィルタリングされた光をイメージセンサーで分析し、獲得した数個の信号を減算して、正確な血糖信号を抽出するための発明である。本発明によると、測定しようとする血糖信号以外に、血糖信号とともに測定される脈拍信号を補正することができるため、脈拍信号を除く正確な血糖信号を獲得することができる。皮膚から反射した白色光をフィルタリングした皮膚の映像を用いるため、採血することなく血糖量を測定することができ、血糖量を数回測定しても、患者に対する採血の負担を減らすことができ、採血過程において発生し得る衛生的な問題または感染への危険を避けることができる。
【００５２】
また、リアルタイムで源泉的な血糖信号を抽出することができるため、時間の流れによる血糖量の変化を確認することができるという長所がある。
【００５３】
本願発明によると、皮膚環境信号に対するノイズを補正することによって、個々人が有している皮膚環境信号に関係なく、源泉的な血糖信号を抽出することができるという長所がある。
【００５４】
併せて、本願発明による無採血の血糖補正装置は、カメラのイメージセンサーを通じたイメージ映像を分析して血糖信号を抽出するものであって、小さくて携帯することが簡便であるように装置を具現することができ、これによって、装置の製作過程にかかるコストを節減することができるものである。
【００５５】
本文に開示されている本発明の実施例に対し、特定の構造的ないし機能的な説明は、単に本発明の実施例を説明するための目的から例示されているものであって、本発明の実施例は、様々な形態で実施され得、本文に説明されている実施例に限定されるものと解釈されてはならない。本明細書の全体にわたる、“一つの例”、“一つの特徴”、“一例”または“特徴”についての言及は、その特徴および／または例と関連して説明された特定の特徴、構造、または特性が、請求された要旨の少なくとも一つの特徴および／または例に含まれるということを意味する。従って、本明細書の数箇所での語句“一つの例において”、“一例”、“一つの特徴において”または“特徴”の出現は、必ずしも同一の特徴および／または例を指し示すものではない。さらに、特定の特徴、構造、または特性は、一つ以上の例および／または特徴に結合され得る。
【００５６】
本発明は、様々な変更を加えることができ、様々な形態を有することができるところ、特定の実施例を図面に例示し、本文に詳細に説明しようとする。しかし、このような例示は、本発明を特定の開示形態に対して限定しようとするものではなく、本発明の思想および技術範囲に含まれるすべての変更、均等物ないし代替物を含むものと理解されなければならない。
【００５７】
第１、第２などの用語は、多様な構成要素を説明するのに用いられ得るが、構成要素は、上記用語によって限定されてはならない。上記用語は、一つの構成要素を他の構成要素から区別する目的で用いられ得る。例えば、本発明の権利範囲から離脱することなく、第１構成要素は第２構成要素として命名されることができ、同様に、第２構成要素も第１構成要素として命名されることができる。
【００５８】
本出願において用いた用語は、単に特定の実施例を説明するために用いられたものであって、本発明を限定しようとする意図ではない。単数の表現は、文脈上明らかに異なって意味しない限り、複数の表現を含む。本出願において、“含む”または“有する”などの用語は、説示された特徴、数字、ステップ、動作、構成要素、部分品またはこれらを組み合わせたものが存在することを指定しようとするものであって、一つまたはそれ以上の他の特徴や数字、ステップ、動作、構成要素、部分品またはこれらを組み合わせたものなどの存在または付加の可能性をあらかじめ排除しないものと理解されなければならない。
【００５９】
異なって定義されない限り、技術的または科学的な用語を含めて、ここで用いられるすべての用語は、本発明の属する技術分野における通常の知識を有する者によって一般的に理解されるものと同一の意味である。一般的に用いられる辞書に定義されているような用語は、関連技術の文脈上有する意味と一致する意味のものと解釈されなければならず、本出願において明らかに定義しない限り、理想的または過度に形式的な意味として解釈されない。
【符号の説明】
【００６０】
１００：サーバー
２００：複数のカメラ
３００：通信網
４００：光源
【図１】
2019034172.tif 000003
【図２】
2019034172.tif 000004
【図３】
2019034172.tif 000005
【図４】
2019034172.tif 000006
【図５ａ】
2019034172.tif 000007
【図５ｂ】
2019034172.tif 000008
【図５ｃ】
2019034172.tif 000009
【図６】
2019034172.tif 000010
【図７】
2019034172.tif 000011